(57)【要約】【課題】繰り返し使用しても、カバーの開閉時にクリック感が得られるとともに、カバーの開閉がスムーズに行えなる信頼性を向上できる移動通信機器を提供する。【解決手段】前面に操作部を有する本体１０と、前面に表示部を有するカバー１１とからなる移動通信機器において、前記本体の前面に固定されたスライド部材２０と、前記カバー１１の背面に固定され、前記スライド部材と摺動して前記本体に対して前記カバーを直線的にガイドするガイド部材２１と、前記ガイド部材の少なくとも一部に設けられた係合受け部としての凹陥部３４，３５と、前記スライド部材に設けられ前記ガイド部材に対して弾性的に押圧しながら摺動し、前記凹陥部３４，３５に係合したとき前記本体に対してカバーが弾性的に保持される弾性係合部材としての板ばね２５とを具備したことを特徴とする。【選択図】図２
2005244699.tif 000002
【特許請求の範囲】
【請求項１】
前面に操作部を有する本体と、前面に表示部を有するカバーとからなる移動通信機器において、
前記本体の前面に固定されたスライド部材と、
前記カバーの背面に固定され、前記スライド部材と摺動して前記本体に対して前記カバーを直線的にガイドするガイド部材と、
前記ガイド部材の少なくとも一部に設けられた係合受け部と、
前記スライド部材に設けられ前記ガイド部材に対して弾性的に押圧しながら摺動し、前記係合受け部に係合したとき前記本体に対してカバーが弾性的に保持される弾性係合部材と
を具備したことを特徴とする移動通信機器。
【請求項２】
前記スライド部材、前記本体の前面に離間して突出する一対からなり、前記ガイド部材は、前記カバーの背面に前記スライド部材と対応して平行に配置された一対からなることを特徴とする請求項１記載の移動通信機器。
【請求項３】
前記ガイド部材は、前記カバーの背面に縦方向または横方向に延長するガイドレールであることを特徴とする請求項１または２記載の移動通信機器。
【請求項４】
前記係合受け部は、ガイド部材の一部に設けられた凹陥部であり、前記弾性係合部材は、前記凹陥部に弾性係合する板ばねであることを特徴とする請求項１記載の移動通信機器。
【発明の詳細な説明】
【技術分野】
【０００１】
この発明は、例えば、携帯電話等の移動通信機器に関する。
【背景技術】
【０００２】
一般的に、携帯電話、ＰＣＳ（Personal Communications Services Phone）、移動電話機（Mobile Telephone）、個人携帯電話、無線通信機器（Wireless Communication Terminal）、ＷＡＰ（Wireless Application Protocol）、ＰＤＡ（Personal Digital Assistance）機器、ＩＭＴ２０００（International Mobile Telecommunications 2000）機器などの移動通信機器は、個人が携帯しながら相手側との音声通話、音声及び画像通話を同時に行い、文字メッセージなど情報の交換、インターネットを接続し、e-mailを交換するなど、日常生活でいつも近くに接している便利な通信道具である。
【０００３】
このような移動通信機器は、日常生活でいつも携帯していながら使用するため、持ち歩きが簡単ながら、より便利で多様な目的として使用できるような形態に発展させるべきである。そのため、ワイシャツのポケットに入れられるほどの小型機器、プリップ形機器、またはホルダ形機器、ＬＣＤ機器など、多種多様な形態に消費者の要求を満足させている。
【０００４】
その中でも最近は、消費者の多様な要求により、ボタンキーからなる操作部を備えた本体と、画面からなる表示部を備えたカバーとを分け、本体に対してヒンジ機構を介してカバーを開閉可能にしたもの、本体に対してスライド機構を介してカバーをスライド可能にしたが知られている。
【発明の開示】
【発明が解決しようとする課題】
【０００５】
前述したように携帯電話等の移動通信機器において、スライド機構を備え、本体に対してカバーをスライド可能にした移動通信機器は、カバーの開閉がスムーズであること、カバーを閉じたとき、あるいは開放したときに、クリック感が得られることが望ましいが、繰り返し使用すると、クリック感が得られなくなり、またカバーの開閉がスムーズに行えなくなるという問題がある。
【０００６】
この発明は、前記事情に着目してなされたもので、その目的とするところは、構成が簡単でありながら、繰り返し使用しても、カバーの開閉時にクリック感が得られるとともに、カバーの開閉がスムーズに行えなる信頼性を向上できる移動通信機器を提供することにある。
【課題を解決するための手段】
【０００７】
この発明は、前記目的を達するために、前面に操作部を有する本体と、前面に表示部を有するカバーとからなる移動通信機器において、前記本体の前面に固定されたスライド部材と、前記カバーの背面に固定され、前記スライド部材と摺動して前記本体に対して前記カバーを直線的にガイドするガイド部材と、前記ガイド部材の少なくとも一部に設けられた係合受け部と、前記スライド部材に設けられ前記ガイド部材に対して弾性的に押圧しながら摺動し、前記係合受け部に係合したとき前記本体に対してカバーが弾性的に保持される弾性係合部材とを具備したことを特徴とする。
【０００８】
好ましくは、前記スライド部材、前記本体の前面に離間して突出する一対からなり、前記ガイド部材は、前記カバーの背面に前記スライド部材と対応して平行に配置された一対からなり、カバーを安定した状態で開閉できる構成である。
【０００９】
さらに、好ましくは、前記ガイド部材は、前記カバーの背面に縦方向または横方向に延長するガイドレールであり、本体に対してカバーを上下方向あるいは横方向にスライド開閉できることを特徴とする。
【００１０】
前記係合受け部は、好ましくは、ガイド部材の一部に設けられた凹陥部であり、前記弾性係合部材は、前記凹陥部に弾性係合する板ばねであり、板ばねが凹陥部に弾性係合してクリック感が得られる。
【発明の効果】
【００１１】
この発明の移動通信機器は、構成が簡単でありながら、繰り返し使用しても、カバーの開閉時にクリック感が得られるとともに、カバーの開閉がスムーズに行え、信頼性を向上できるという効果がある。
【発明を実施するための最良の形態】
【００１２】
以下、この発明の実施の形態を図面に基づいて説明する。
【００１３】
図１は携帯電話等の移動通信機器（以下、機器という）を示し、（Ａ）はカバーを閉じた状態の斜視図、（Ｂ）はカバーを開放した状態の斜視図である。機器は、本体１０と、この本体１０に対して開閉可能なカバー１１とから構成されている。本体１０の前面には複数のボタンキー１２を備えた操作部１３、マイク１４等が設けられている。カバー１１の前面には液晶画面からなる表示部１５、ボタンキー１６及びスピーカ−１７が設けられている。
【００１４】
図２に示すように、本体１０の前面とカバー１１の背面との間には、本体１０に対してカバー１１を縦方向（上下方向）にスライド可能に支持するスライドヒンジ装置１８が設けられている。スライドヒンジ装置１８は、図２〜図７に示すように、一対の取付け台１９と、これら取付け台１９に１個ずつ固定されるスライド部材２０と、このスライド部材２０をスライド自在にガイドする一対のガイド部材２１とから構成されている。そして、一対の取付け台１９は本体１０の前面に固定され、一対のガイド部材２１はカバー１１の背面に取付け台１９に対応して平行に配置され、カバー１１の背面に設けられた長孔１１ａに沿って固定されている。
【００１５】
前記一対の取付け台１９は、金属板を断面コ字状に折曲した部材からなり、背面１９ａには上下に離間して２個のねじ孔２２が設けられ、中間部には１個の取付け孔２３が設けられている。さらに、両脚部１９ｂにはガイド部材２１との接触部２４が設けられている。そして、取付け台１９のねじ孔２２には固定ねじ（図示しない）が螺合され、取付け台１９は本体１０の前面における上部の操作部１３を避けた位置に固定されている。
【００１６】
取付け台１９の凹陥部１９ｃには弾性係合部材としての板ばね２５が収納され、この板ばね２５は前記スライド部材２０とともに取付け台１９に固定されている。すなわち、スライド部材２０は軸部２６の一端部にフランジ２７が設けられ、他端部には小径のねじ部２８が一体に設けられている。板ばね２５の一端部にはスライド部材２０のねじ部２８に嵌合する嵌合孔２９が設けられ、他端部には前記ガイド部材２１方向に突出する湾曲部３０が設けられている。
【００１７】
そして、スライド部材２０のねじ部２８を板ばね２５の嵌合孔２９に挿入した状態で、ねじ部２８を取付け台１９の取付け孔２３にねじ込むことにより、取付け台１９に共締め固定されている。
【００１８】
また、前記ガイド部材２１は、金属板を断面コ字状に折曲した部材からなり、その背面２１ａには長手方向に亘ってガイド溝３１が設けられ、背面２１ａと両脚部２１ｂとの間には取付け台１９の接触部２４と摺動する被摺動部３２が設けられている。ガイド溝３１にはスライド部材２０の軸部２６が上下方向にスライド自在に嵌合され、スライド部材２０のフランジ２７はガイド部材２１の凹溝３３に摺動自在に設けられている。
【００１９】
従って、ガイド部材２１をその長手方向（上下方向）にスライドさせると、取付け台１９に固定されたスライド部材２０の軸部２６がガイド部材２１のガイド溝３１にガイドされながら相対的に上下動し、フランジ２７がガイド部材２１の凹溝３３にガイドされながら相対的に上下動する。このとき、取付け台１９に固定された板ばね２５の湾曲部３０がガイド部材２１の背面２１ａに弾性的に押圧されているため、取付け台１９とガイド部材２１とがガタつくことなく、上下方向に摺動することになる。
【００２０】
さらに、ガイド部材２１の背面２１ａにおける上端部近傍には第１の係合受け部としての第１の凹陥部３４が設けられ、下端部には第２の係合受け部としての第２の凹陥部３５が設けられている。そして、取付け台１９に対してガイド部材２１が上下方向に移動し、第１及び第２の凹陥部３４，３５に板ばね２５の湾曲部３０と対向したときに、弾性係合して取付け台１９に対してガイド部材２１が弾性的に保持されるクリック感が得られるようになっている。
【００２１】
ガイド部材２１に上下に離間して設けられた第１及び第２の凹陥部３４，３５は、本体１０に対してカバー１１を閉じたときと、開放したときに、板ばね２５の湾曲部３０が第１及び第２の凹陥部３４，３５に弾性係合するようになっている。すなわち、図１（Ａ）に示すように、本体１０に対してカバー１１を下方へスライドしてカバー１１を閉じたとき、図６に示すように、第１の凹陥部３４に板ばね２５の湾曲部３０が係合し、カバー１１が閉じた状態で弾性的にロックされる。また、図１（Ｂ）に示すように、本体１０に対してカバー１１を上方へスライドしてカバー１１を開放（本体１０の操作部１３を操作可能に露出した状態）したとき、図７に示すように、第２の凹陥部３５に板ばね２５の湾曲部３０が係合し、カバー１１が開いた状態で弾性的にロックされる。
【００２２】
また、本体１０には左右に離間して一対のスライド部材２０が設けられ、カバー１１にはスライド部材２０に対応して一対のガイド部材２１が設けられている。従って、カバー１１が安定した状態で上下動可能であり、板ばね２５の湾曲部３０がガイド部材２１の背面２１ａに弾性的に圧接されているため、カバー１１のガタつきを防止でき、第１及び第２の凹陥部３４，３５に板ばね２５の湾曲部３０と対向したときに、弾性係合してクリック感が得られる。
【００２３】
なお、前記実施形態においては、本体１０に対してカバー１１が上下方向にスライド可能となるように、本体１０の左右に離間して一対のスライド部材２０を設け、カバー１１に左右に離間して一対のガイド部材２１を設けた。しかし、本体１０の上下に離間して一対のスライド部材２０を設け、カバー１１に上下に離間して一対のガイド部材２１を設けることにより、本体１０に対してカバー１１を横方向（左右方向）にスライド可能となる。
【００２４】
また、携帯電話について説明したが、ＰＣＳ、移動電話機、個人携帯電話、無線通信機器、ＷＡＰ、ＰＤＡ機器、ＩＭＴ２０００機器などの移動通信機器に適用できる。
【図面の簡単な説明】
【００２５】
【図１】この発明の第１の実施形態を示し、（Ａ）（Ｂ）は移動通信機器の斜視図。
【図２】同実施形態の移動通信機器の分解斜視図。
【図３】同実施形態のスライドヒンジ装置の分解斜視図。
【図４】同実施形態のスライドヒンジ装置の斜視図。
【図５】同実施形態を示し、図４のＡ−Ａ線に沿う断面図。
【図６】同実施形態を示し、図４のＢ−Ｂ線に沿う断面図。
【図７】同実施形態の移動通信機器を示し、カバーを開放した状態の一部縦断した側面図。
【符号の説明】
【００２６】
１０…本体、１１…カバー、１３…操作部、１５…表示部、１８…スライドヒンジ装置、１９…取付け台、２０…スライド部材、２１…ガイド部材、２５…板ばね、３０…湾曲部、３４，３５…凹陥部。
【図１】
2005244699.tif 000003
【図２】
2005244699.tif 000004
【図３】
2005244699.tif 000005
【図４】
2005244699.tif 000006
【図５】
2005244699.tif 000007
【図６】
2005244699.tif 000008
【図７】
2005244699.tif 000009